【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
第1のユーザに関連付けられたクライアントデバイス(300A、300B、400)を動作させる方法であって、
前記クライアントデバイスによって、インターネットプロトコル(IP)マルチメディアサブシステム(IMS)サービスを求めて第1のユーザに前記クライアントデバイスを登録するためにIMSネットワークを用いて登録プロシージャを実行するステップ(800、810、815、830、835、850、1300、1325)と、
前記クライアントデバイスによって、1つまたは複数の他のクライアントデバイスに関するリッチコミュニケーションスイート(RCS)能力情報を取得するために前記IMSサービスを求めて前記第1のユーザに同様に登録された前記1つまたは複数の他のクライアントデバイスと通信するステップ(1305、1310、1330、1335、1350、1355)と、
前記クライアントデバイスによって、前記クライアントデバイスのRCS能力情報を報告することを求める要求を受信するステップ(1430、1435、1440)と、
前記クライアントデバイスによって、前記受信された要求に応答して、(i)前記クライアントデバイスのRCS能力情報と(ii)前記1つまたは複数の他のクライアントデバイスに関する前記RCS能力情報の両方を示すメッセージを送信するステップ(1445、1455、1460)と
を含む、方法。
【請求項２】
前記登録プロシージャが、
前記クライアントデバイスを前記IMSサービスに登録することを求める要求を前記IMSネットワークに送信するステップと、
前記送信された要求に応答して、前記クライアントデバイスがデバイス固有のルーティング識別子の第1の組を用いて前記IMSサービスに登録されるという通知を受信するステップと
を含み、
前記通知が、前記IMSサービスを求めて前記1つまたは複数の他のクライアントデバイスに以前に割り当てられたデバイス固有のルーティング識別子の少なくとも1つの追加の組の指示をさらに含み、
前記通信するステップが、前記1つまたは複数の他のクライアントデバイスに関する前記RCS能力情報を取得するためにデバイス固有のルーティング識別子の前記少なくとも1つの追加の組を使用する、
請求項1に記載の方法。
【請求項３】
デバイス固有のルーティング識別子の前記第1の組および少なくとも1つの追加の組が各々、Globally Routable User Agent Uniform Resource Identifier(GRUU)の組に対応する、請求項2に記載の方法。
【請求項４】
GRUUの各組が、パブリックGRUUおよびテンポラリGRUUを含む、請求項3に記載の方法。
【請求項５】
前記通信するステップが、
デバイス固有のルーティング識別子の前記少なくとも1つの追加の組に基づく宛先アドレスを用いて1つまたは複数のセッション開始プロトコル(SIP)OPTIONSメッセージを構成
するステップと、
前記1つまたは複数のSIP OPTIONSメッセージを前記1つまたは複数の他のクライアントデバイスに送信するステップであって、前記送信された1つまたは複数のSIP OPTIONSメッセージの各々が前記クライアントデバイスに関する前記RCS能力情報を示す、ステップと、
前記送信するステップに応答して前記1つまたは複数の他のクライアントデバイスから、SIP 200 OKメッセージが発生した前記他のクライアントデバイスに関する前記RCS能力情報を各々が示す1つまたは複数のSIP 200 OKメッセージを受信するステップと
を含む、請求項2に記載の方法。
【請求項６】
前記受信された要求が、セッション開始プロトコル(SIP) OPTIONSメッセージであり、
前記送信されたメッセージが、第2のSIP 200 OKメッセージである、
請求項1に記載の方法。
【請求項７】
前記受信された要求が、前記第1のユーザと異なる第2のユーザに前記IMSサービスを求めて登録された異なるクライアントデバイスから発生する、請求項1に記載の方法。
【請求項８】
前記受信された要求が、前記クライアントデバイスおよび前記1つまたは複数の他のクライアントデバイスに同時に配信されるフォーキングされた要求である、請求項1に記載の方法。
【請求項９】
前記フォーキングされた要求が、前記IMSネットワークにおいてフォーキングされ、
前記送信するステップが、前記メッセージを前記IMSネットワークに送信する、
請求項8に記載の方法。
【請求項１０】
前記フォーキングされた要求が、前記IMSネットワークの外部にあるアプリケーションサーバにおいてフォーキングされ、前記IMSサービスをサポートするために前記クライアントデバイスおよび前記1つまたは複数の他のクライアントデバイスに割り当てられ、
前記送信するステップが、前記メッセージを前記アプリケーションサーバに送信する、
請求項8に記載の方法。
【請求項１１】
第1のユーザに関連付けられたクライアントデバイス(300A、300B、400)であって、
インターネットプロトコル(IP)マルチメディアサブシステム(IMS)サービスを求めて第1のユーザに前記クライアントデバイスを登録するためにIMSネットワークを用いて登録プロシージャを実行する(800、810、815、830、835、850、1300、1325)ための手段(405、410)と、
1つまたは複数の他のクライアントデバイスに関するRCS能力情報を取得するために前記IMSサービスを求めて前記第1のユーザに同様に登録された前記1つまたは複数の他のクライアントデバイスと通信する(1305、1310、1330、1335、1350、1355)ための手段(405)と、
前記クライアントデバイスのリッチコミュニケーションスイート(RCS)能力情報を報告することを求める要求を受信する(1430、1435、1440)ための手段(405)と、
前記受信された要求に応答して、(i)前記クライアントデバイスのRCS能力情報と(ii)前記1つまたは複数の他のクライアントデバイスに関する前記RCS能力情報の両方を示すメッセージを送信する(1445、1455、1460)ための手段(405)と
を含む、クライアントデバイス。
【請求項１２】
実行するための前記手段が、
前記クライアントデバイスを前記IMSサービスに登録することを求める要求を前記IMSネットワークに送信するための手段と、
前記送信された要求に応答して、前記クライアントデバイスがデバイス固有のルーティング識別子の第1の組を用いて前記IMSサービスに登録されるという通知を受信するための手段と
を含み、
前記通知が、前記IMSサービスを求めて前記1つまたは複数の他のクライアントデバイスに以前に割り当てられたデバイス固有のルーティング識別子の少なくとも1つの追加の組の指示をさらに含み、
通信するための前記手段が、前記1つまたは複数の他のクライアントデバイスに関する前記RCS能力情報を取得するためにデバイス固有のルーティング識別子の前記少なくとも1つの追加の組を使用する、
請求項11に記載のクライアントデバイス。
【請求項１３】
前記受信された要求が、前記クライアントデバイスおよび前記1つまたは複数の他のクライアントデバイスに同時に配信されるフォーキングされた要求である、請求項11に記載のクライアントデバイス。
【請求項１４】
第1のユーザに関連付けられたクライアントデバイス(300A、300B、400)によって実行されるとき、前記クライアントデバイスに動作を実行させる、記憶された命令を含む非一時的コンピュータ可読記憶媒体(415)であって、前記命令が、
インターネットプロトコル(IP)マルチメディアサブシステム(IMS)サービスを求めて第1のユーザに前記クライアントデバイスを登録するためにIMSネットワークを用いて登録プロシージャを前記クライアントデバイスに実行させる(800、810、815、830、835、850、1300、1325)ように構成された少なくとも1つの命令と、
1つまたは複数の他のクライアントデバイスに関するRCS能力情報を取得するために前記IMSサービスを求めて前記第1のユーザに同様に登録された前記1つまたは複数の他のクライアントデバイスと前記クライアントデバイスに通信させる(1305、1310、1330、1335、1350、1355)ように構成された少なくとも1つの命令と、
前記クライアントデバイスのリッチコミュニケーションスイート(RCS)能力情報を報告することを求める要求を前記クライアントデバイスに受信させる(1430、1435、1440)ように構成された少なくとも1つの命令と、
前記受信された要求に応答して、(i)前記クライアントデバイスのRCS能力情報と(ii)前記1つまたは複数の他のクライアントデバイスに関する前記RCS能力情報の両方を示すメッセージを前記クライアントデバイスに送信させる(1445、1455、1460)ように構成された少なくとも1つの命令と
を含む、非一時的コンピュータ可読記憶媒体。
【請求項１５】
前記クライアントデバイスに実行させるように構成された前記少なくとも1つの命令が、
前記クライアントデバイスを前記IMSサービスに登録することを求める要求を前記IMSネットワークへ前記クライアントデバイスに送信させるように構成された少なくとも1つの命令と、
前記送信された要求に応答して、前記クライアントデバイスがデバイス固有のルーティング識別子の第1の組を用いて前記IMSサービスに登録されるという通知を前記クライアントデバイスに受信させるように構成された少なくとも1つの命令と
を含み、
前記通知が、前記IMSサービスを求めて前記1つまたは複数の他のクライアントデバイスに以前に割り当てられたデバイス固有のルーティング識別子の少なくとも1つの追加の組の指示をさらに含み、
前記クライアントデバイスに通信させるように構成された前記少なくとも1つの命令が、前記1つまたは複数の他のクライアントデバイスに関する前記RCS能力情報を取得するためにデバイス固有のルーティング識別子の前記少なくとも1つの追加の組を使用する、
請求項14に記載の非一時的コンピュータ可読記憶媒体。